(57)【要約】      （修正有）【課題】安価、小電力の遠隔無線操作式光色変更機能付着せ替え表示装置を提供する。【解決手段】電源アダプター８を介して、着せ替え可能な透過性プレート１に接している構造物５に、遠隔無線操作機７による遠隔無線操作で、小型の遠隔無線受信部兼光色変更機能機器２を組み合わせることで光の色を、白色、非白色の両方に変更可能な発光機器３を内蔵し、小型の発光機器３と明暗センサー６を使用することで節電の効果も高まった。使用する透過性プレート１をプレート固定部４に設置することで、透過性プレートの着せ替えをネジ留めや填め込む方法で容易に、スムーズな着せ替えを行なう。【選択図】図１
0003140695.tif 000002
【実用新案登録請求の範囲】
【請求項１】
透過性のプレートを上下両面、左右両面からと、上下左右何れかの断面の一方から、または裏面から、電源から電気を使い、遠隔無線操作機を使って白色、非白色の両方に光の色を変える発光機器によって照射することを目的とした遠隔無線操作式光色変更機能付着せ替え表示装置である。
【請求項２】
木製、セラミック、石製、金属製で作られた［請求項１］を格納する箱を有し、暗くなると自動的に点灯するセンサーを内蔵した遠隔無線操作式光色変更機能付表示装置である
【請求項３】
白色、非白色の両方に変更可能な操作が遠隔無線機で操作出来る遠隔無線操作式光色変更機能付着せ替え表示装置である
【請求項４】
強度と奥行きを持たせる為に、１ｍｍ以上の、文字や様々な模様をレーザー加工やエッチング加工、シルクスクリーン加工、印刷加工を表や裏から施した透過性プレートの着せ替え可能な遠隔無線操作式光色変更機能付着せ替え表示装置である。
【考案の詳細な説明】
【考案の詳細な説明】
【技術分野】
【０００１】本考案は、着せ替え可能な透過性プレートと照明装置、明暗センサー等を組入れた、メッセージ性や夜間の視認性を向上させる為の、イルミネーション機能を有する表示装置に関するものである。
【背景技術】
【０００２】透過性プレートを用いた、単色の光源で照射するもの、プレートの交換可能な物、着色する物などがあり、明暗センサーを付けた物などがあった。
【考案の開示】
実用新案公開平７−３４４６５
特許公開２００６−１９５３３７
特許公開２００３−３０８０３３
特許公開２００３−３２０７９７
特許公開２００２−３２８６３３
特許公表２００５−５２８７３３
【考案が解決しようとする課題】
【０００３】しかしながら、従来の技術では、小型で白色や非白色の切り替えの行なえる発光機器がなく、しかも容易に遠隔無線操作で変更したり出来なかった為、文字や模様が加工された透過性プレートの脱着や着色加工は出来ても、光の色は変えられなかった為に、一年を通じて、透過性プレートに一定以上の効果と表情を持たせることが出来なかったのと、コスト面でも難しく、節電の面でも難しかった。
【課題を解決するための手段】
【０００４】本考案は強度と奥行きを持たせる為に、１ｍｍ以上の透過性プレートに接している構造物に、遠隔無線操作機による遠隔無線操作出来る、小型の遠隔無線受信部兼光色変更機能機器を組み合わせることで、白色、非白色の両方に光の色の変更可能な機能を有し、小型の発光機器と明暗センサーを使用することで節電の効果も高まった。また、使用するプレートの着せ替えをネジ留めや填め込む方法で交換を容易に行なうことを可能とし、上下、左右の両側、或いは上下左右のいずれか一辺、裏面から光を照射し、強度を持たせる為に、１ｍｍ以上の文字や模様の異なる加工された透過性プレートを、着せ替えることで、見易く浮き立たせ、注目度、高級感を演出、またイルミネーションの一つとしての役割を成し、効果と表情を持たせることで上記課題を解決するものである。
【考案の効果】
【０００５】請求項１の考案によれば、遠隔無線操作機で操作する遠隔無線受信部兼光色変更機能を持つ機器と小型の発光器具と、請求項４では色々な文字や模様の異なる着せ替え可能で、強度と奥行きを持たせた透過性プレートとを組合せて使用することにより、安価かつ簡易に高級感と表情を持つことが出来、請求項２の考案によれば、表示装置も一つのイルミネーションと化し、注目度と装飾効果、お洒落感を演出することが出来、請求項３では、節電の面でも効果が期待出来る。
【考案を実施するための最良の形態】
【０００６】図面を参照して本考案の実施の形態を説明する。強度と奥行きを持たせる為に、１ｍｍ以上透過性プレート（１）を金属製、木製、セラミック製等の硬質な素材で出来た構造物（５）に、透過性プレート（１）着せ替えを可能としたプレート固定部（４）に固定し、プレート固定部（４）には、電源アダプター（８）から電気を取り入れ、遠隔無線受信部兼光色変更機能機器（２）に、遠隔操作機（７）による遠隔無線受信部兼光色変更機能機器と小型の発光部（３）からの光の色を様々に変化したりさせたりし、上下左右何れかの片方、或いは左右、上下の両方の断面、裏面からの照射を行ない、明暗センサー（６）で、電源の入切を行なう。
【実施例】図３  図４  図５  図６
【産業上の利用可能性】
【０００７】本考案は、屋外、屋内を問わず使用でき、遠隔無線操作出来る、白色、非白色の両方に変更機能を有する表示装置であって、季節、場面、場所、状況、環境に適応出来、イルミネーション機能によって、ファッション性や注目度、高級感、表情を持たせ、様々変化や驚き、面白さを出すことで上記課題を解決するものである
【図面の簡単な説明】
【０００８】
【図１】無線操作式光色変更機能付表示装置の斜視図である
【図２】無線操作式光色変更機能付表示装置の側面から見た断面図である
【符号の説明】
１  透過性プレート
２  遠隔無線受信部兼光色変更機能機器
３  発光機器
４  プレート固定部
５  構造物
６  明暗センサー
７  遠隔無線操作機
８  電源アダプター
【図１】
0003140695.tif 000003
【図２】
0003140695.tif 000004
【手続補正書】
【提出日】平成19年12月12日(2007.12.12)
【手続補正１】
【補正対象書類名】実用新案登録請求の範囲
【補正対象項目名】全文
【補正方法】変更
【補正の内容】
【実用新案登録請求の範囲】
【請求項１】
木製、セラミック、石製、金属製の何れかの材料から成型された、箱状や板状の物に、折り返し部分や穴開加工を施した装置本体に、ガラスやアクリル等の素材で出来た、強度と奥行きを持たせる為、１ｍｍ以上の、文字や様々な模様をレーザー加工やエッチング加工やシルクスクリーン加工、印刷加工を表や裏や内面に施した透過性プレートを、ボルト等や、折り返し加工した部分に填め込む方法の何れか、或いは両方を用いて、固定と脱着の着せ替え機能が容易に出来ることを可能することを有し、操作方法に於いては、赤外線や電波等を使用し、予めプログラムされた発光色や輝度、或いは変色パターンへの変更命令する機能を有する操作機器を用い、白色非白色への変光機能を有する発光機器に対して、操作時に発した白色非白色等への変光のパターンの命令伝達を行なう機能を有する光色変更機能機器を格納することを有する操作式光色変更機能付着せ替え表示装置。
【請求項２】
透過性プレートの断面を、上下両方、左右両方、上下左右何れかの断面の一方、裏面から、の少なくとも１つの方法を用い、発光機器ユニットを用いて照射する機能を有した［請求項１］に記載の操作式光色変更機能付着せ替え表示装置。
【請求項３】
発光機器が作動するに要する電圧・電流変換を行う機能を有する電源アダプター部と、センサー機能により、夜間などの暗い時には点灯や点滅を行い、昼間などの明るい時には点灯や点滅を中止する機能を有した機器を組み込ませることにより自動的に点灯や点滅する明暗センサー機能のユニットを格納することを有した［請求項１］に記載の操作式光色変更機能付着せ替え表示装置。
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案は、着せ替え可能な透過性プレートと照明装置、明暗センサー等を組入れた、メッセージ性や夜間の視認性を向上させる為の、イルミネーション機能を有する表示装置に関するものである。
【背景技術】
【０００２】透過性プレートを用いた、単色の光源で照射するもの、プレートの交換可能な物、着色する物などがあり、明暗センサーを付けた物などがあった。
【考案の開示】
実用新案公開平７−３４４６５
特許公開２００６−１９５３３７
特許公開２００３−３０８０３３
特許公開２００３−３２０７９７
特許公開２００２−３２８６３３
特許公表２００５−５２８７３３
【考案が解決しようとする課題】
【０００３】しかしながら、従来の技術では、小型で白色や非白色の切り替えの行なえる発光機器がなく、しかも容易に操作で変更したり出来なかった為、文字や模様が加工された透過性プレートの脱着や着色加工は出来ても、光の色は変えられなかった為に、一年を通じて、透過性プレートに一定以上の効果と表情を持たせることが出来なかったのと、コスト面でも難しく、節電の面でも難しかった。
【課題を解決するための手段】
【０００４】本考案は強度と奥行きを持たせる為に、１ｍｍ以上の透過性プレートに接している構造物に、操作機による電波や赤外線などを用いて操作出来る、小型の操作部兼光色変更機能機器を組み合わせることで、白色、非白色の両方に光の色の変更可能な機能を有し、小型の発光機器と明暗センサーを使用することで節電の効果も高まった。また、使用するプレートの着せ替えをネジ留めや填め込む方法で交換を容易に行なうことを可能とし、上下、左右の両側、或いは上下左右のいずれか一辺、裏面から光を照射し、強度を持たせる為に、１ｍｍ以上の文字や模様の異なる加工された透過性プレートを、着せ替えることで、見易く浮き立たせ、注目度、高級感を演出、またイルミネーションの一つとしての役割を成し、効果と表情を持たせることで上記課題を解決するものである。
【考案の効果】
【０００５】請求項１の考案によれば、操作機で操作する操作部兼光色変更機能を持つ機器と小型の発光器具と、請求項４では色々な文字や模様の異なる着せ替え可能で、強度と奥行きを持たせた透過性プレートとを組合せて使用することにより、安価かつ簡易に高級感と表情を持つことが出来、請求項２の考案によれば、表示装置も一つのイルミネーションと化し、注目度と装飾効果、お洒落感を演出することが出来、請求項３では、節電の面でも効果が期待出来る。
【考案を実施するための最良の形態】
【０００６】図面を参照して本考案の実施の形態を説明する。強度と奥行きを持たせる為に、１ｍｍ以上透過性プレート（１）を金属製、木製、セラミック製等の何れかの素材で出来た構造物（５）に、透過性プレート（１）の着せ替えを可能としたプレート固定部（４）に固定し、プレート固定部（４）には、電源アダプター部（８）から電気を取り入れ、操作部兼光色変更機能機器（２）に、操作機（７）による操作部兼光色変更機能機器と小型の発光部（３）からの光の色を様々に変化したりさせたりし、上下左右何れかの片方、或いは左右、上下の両方の断面、裏面からの照射を行ない、明暗センサー（６）で、電源の入切を行なう。
【実施例】図３  図４  図５  図６
【産業上の利用可能性】
【０００７】本考案は、屋外、屋内を問わず使用でき、操作出来る、白色、非白色の両方に変更機能を有する表示装置であって、季節、場面、場所、状況、環境に適応出来、イルミネーション機能によって、ファッション性や注目度、高級感、表情を持たせ、様々変化や驚き、面白さを出すことで上記課題を解決するものである
【図面の簡単な説明】
【０００８】
【図１】操作式光色変更機能付表示装置の斜視図である
【図２】操作式光色変更機能付表示装置の側面から見た断面図である
【符号の説明】
１  透過性プレート
２  操作部兼光色変更機能機器
３  発光機器
４  プレート固定部
５  構造物
６  明暗センサー
７  操作機
８  電源アダプター部